【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
撮影感度を可変設定可能であって、所定の連写サイクルで撮影を実行する撮影手段と、
電荷を蓄積する蓄積手段を有し、この蓄積手段に蓄積された電荷を用いて発光する発光手段と、
前記連写サイクルに同期して、前記発光手段を発光させる発光制御手段と、
前記蓄積手段の蓄積電圧が所定の閾値以上であるか否かを判断する判断手段と、
この判断手段の判断結果に応じて、前記発光制御手段による前記発光手段の発光を許容又は禁止する発光制限手段と、
発光素子からなる照明手段と、
前記発光制限手段が前記発光手段の発光を許容している場合には、前記照明手段を消灯させ、前記発光手段の発光を禁止している場合には、前記照明手段を点灯させる照明制御手段と
を備えることを特徴とする撮影装置。
【請求項２】
前記連写サイクルに同期して、前記蓄積手段に電荷を蓄積させる充電制御手段を備えることを特徴とする請求項１記載の撮影装置。
【請求項３】
前記充電制御手段は、前記発光制御手段が前記発光手段を発光させていない間において、前記蓄積手段に電荷を蓄積させることを特徴とする請求項１又は２記載の撮影装置。
【請求項４】
前記発光制限手段が前記発光手段の発光を許容している場合には、前記撮影手段の撮影感度を第１の感度に制御し、前記発光手段の発光を禁止している場合には、前記撮影手段の撮影感度を前記第１の感度よりも高い第２の感度に制御する撮影感度制御手段を備えることを特徴とする請求項１から３にいずれか記載の撮影装置。
【請求項５】
前記撮影手段の連写サイクルを、第１のサイクルとこの第１のサイクルよりも速い第２のサイクルとに切換設定するサイクル設定手段と、
前記発光手段の発光量を、第１の発光量とこの第１の発光量よりも小さい第２の発光量とに調整する発光量調整手段とを備え、
この発光量調整手段は、前記サイクル設定手段により前記第１のサイクルが設定されている場合には、前記発光手段の発光量を第１の発光量に調整し、前記第２のサイクルが設定されている場合には、前記第２の発光量に調整することを特徴とする請求項１から４にいずれか記載の撮影装置。
【請求項６】
前記撮影手段の連写サイクルを、第１のサイクルとこの第１のサイクルよりも速い第２のサイクルとに切換設定するサイクル設定手段と、
前記発光手段の発光時間を、第１の発光時間とこの第１の発光時間よりも短い第２の発光時間とに調整する発光時間調整手段とを備え、
この発光時間調整手段は、前記サイクル設定手段により前記第１のサイクルが設定されている場合には、前記発光手段の発光時間を第１の発光時間に調整し、前記第２のサイクルが設定されている場合には、前記第２の発光時間に調整することを特徴とする請求項１から４にいずれか記載の撮影装置。
【請求項７】
前記撮影手段の連写サイクルを、複数種のサイクルに切換設定するサイクル設定手段を備え、
このサイクル設定手段により切換設定される連写サイクルには、前記発光制御手段が当該連写サイクルに同期して前記発光手段を発光させた場合において、前記電荷を蓄積する蓄積手段の蓄積電圧が、前記発光手段を発光させるに必要な蓄積電圧以下に低下しないサイクルが含まれていることを特徴とする請求項１から４にいずれか記載の撮影装置。
【請求項８】
所定の連写サイクルで撮影を実行する撮影手段と、電荷を蓄積する蓄積手段を有し、この蓄積手段に蓄積された電荷を用いて発光する発光手段と、発光素子からなる照明手段とを備える撮影装置が有するコンピュータを、
前記連写サイクルに同期して、前記発光手段を発光させる発光制御手段と、
前記蓄積手段の蓄積電圧が所定の閾値以上であるか否かを判断する判断手段と、
この判断手段の判断結果に応じて、前記発光制御手段による前記発光手段の発光を許容又は禁止する発光制限手段と、
この発光制限手段が前記発光手段の発光を許容している場合には、前記照明手段を消灯させ、前記発光手段の発光を禁止している場合には、前記照明手段を点灯させる照明制御手段と
して機能させることを特徴とする撮影制御プログラム。
【請求項９】
所定の連写サイクルで撮影を実行する撮影手段と、電荷を蓄積する蓄積手段を有し、この蓄積手段に蓄積された電荷を用いて発光する発光手段と、発光素子からなる照明手段とを備える撮影装置の撮影制御方法であって、
前記連写サイクルに同期して、前記発光手段を発光させる発光制御ステップと、
前記蓄積手段の蓄積電圧が所定の閾値以上であるか否かを判断する判断ステップと、
この判断ステップでの判断結果に応じて、前記発光制御ステップによる前記発光手段の発光を許容又は禁止する発光制限ステップと、
この発光制限ステップで前記発光手段の発光が許容された場合には、前記照明手段を消灯させ、前記発光手段の発光が禁止された場合には、前記照明手段を点灯させる照明制御ステップと
を含むことを特徴とする撮影制御方法。
【手続補正２】
【補正対象書類名】明細書
【補正対象項目名】０００２
【補正方法】変更
【補正の内容】
【０００２】
近年、撮影装置、例えばデジタルカメラにおいては、暗い状況下で被写体を撮影する場合には、主にキセノンストロボを発光させて撮影を行なう。このキセノンストロボは、主に、キセノン管とコンデンサを有し、コンデンサに充電された電荷（電圧）を用いてキセノン管から発光させる。また、コンデンサの電圧が低下すると、再びコンデンサを充電させることにより、キセノン管からの発光を可能にする（例えば、特許文献１参照。）。
【特許文献１】特開平６−９５２２２号公報
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
前記課題を解決するため請求項１記載の発明に係る撮影装置にあっては、撮影感度を可変設定可能であって、所定の連写サイクルで撮影を実行する撮影手段と、電荷を蓄積する蓄積手段を有し、この蓄積手段に蓄積された電荷を用いて発光する発光手段と、前記連写サイクルに同期して、前記発光手段を発光させる発光制御手段と、前記蓄積手段の蓄積電圧が所定の閾値以上であるか否かを判断する判断手段と、この判断手段の判断結果に応じて、前記発光制御手段による前記発光手段の発光を許容又は禁止する発光制限手段と、発光素子からなる照明手段と、前記発光制限手段が前記発光手段の発光を許容している場合には、前記照明手段を消灯させ、前記発光手段の発光を禁止している場合には、前記照明手段を点灯させる照明制御手段とを備えることを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
また、請求項２記載の発明に係る撮影装置にあっては、前記連写サイクルに同期して、前記蓄積手段に電荷を蓄積させる充電制御手段を備えることを特徴とする。
【手続補正７】
【補正対象書類名】明細書
【補正対象項目名】０００９
【補正方法】変更
【補正の内容】
【０００９】
また、請求項３記載の発明に係る撮影装置にあっては、前記充電制御手段は、前記発光制御手段が前記発光手段を発光させていない間において、前記蓄積手段に電荷を蓄積させることを特徴とする。
【手続補正８】
【補正対象書類名】明細書
【補正対象項目名】００１０
【補正方法】変更
【補正の内容】
【００１０】
また、請求項４記載の発明に係る撮影装置にあっては、前記発光制限手段が前記発光手段の発光を許容している場合には、前記撮影手段の撮影感度を第１の感度に制御し、前記発光手段の発光を禁止している場合には、前記撮影手段の撮影感度を前記第１の感度よりも高い第２の感度に制御する撮影感度制御手段を備えることを特徴とする。
【手続補正９】
【補正対象書類名】明細書
【補正対象項目名】００１１
【補正方法】変更
【補正の内容】
【００１１】
また、請求項５記載の発明に係る撮影装置にあっては、前記撮影手段の連写サイクルを、第１のサイクルとこの第１のサイクルよりも速い第２のサイクルとに切換設定するサイクル設定手段と、前記発光手段の発光量を、第１の発光量とこの第１の発光量よりも小さい第２の発光量とに調整する発光量調整手段とを備え、この発光量調整手段は、前記サイクル設定手段により前記第１のサイクルが設定されている場合には、前記発光手段の発光量を第１の発光量に調整し、前記第２のサイクルが設定されている場合には、前記第２の発光量に調整することを特徴とする。
【手続補正１０】
【補正対象書類名】明細書
【補正対象項目名】００１２
【補正方法】変更
【補正の内容】
【００１２】
また、請求項６記載の発明に係る撮影装置にあっては、前記撮影手段の連写サイクルを、第１のサイクルとこの第１のサイクルよりも速い第２のサイクルとに切換設定するサイクル設定手段と、前記発光手段の発光時間を、第１の発光時間とこの第１の発光時間よりも短い第２の発光時間とに調整する発光時間調整手段とを備え、この発光時間調整手段は、前記サイクル設定手段により前記第１のサイクルが設定されている場合には、前記発光手段の発光時間を第１の発光時間に調整し、前記第２のサイクルが設定されている場合には、前記第２の発光時間に調整することを特徴とする。
【手続補正１１】
【補正対象書類名】明細書
【補正対象項目名】００１３
【補正方法】変更
【補正の内容】
【００１３】
また、請求項７記載の発明に係る撮影装置にあっては、前記撮影手段の連写サイクルを、複数種のサイクルに切換設定するサイクル設定手段を備え、このサイクル設定手段により切換設定される連写サイクルには、前記発光制御手段が当該連写サイクルに同期して前記発光手段を発光させた場合において、前記電荷を蓄積する蓄積手段の蓄積電圧が、前記発光手段を発光させるに必要な蓄積電圧以下に低下しないサイクルが含まれていることを特徴とする。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
また、請求項８記載の発明に係る撮影制御プログラムにあっては、所定の連写サイクルで撮影を実行する撮影手段と、電荷を蓄積する蓄積手段を有し、この蓄積手段に蓄積された電荷を用いて発光する発光手段と、発光素子からなる照明手段とを備える撮影装置が有するコンピュータを、前記連写サイクルに同期して、前記発光手段を発光させる発光制御手段と、前記蓄積手段の蓄積電圧が所定の閾値以上であるか否かを判断する判断手段と、この判断手段の判断結果に応じて、前記発光制御手段による前記発光手段の発光を許容又は禁止する発光制限手段と、この発光制限手段が前記発光手段の発光を許容している場合には、前記照明手段を消灯させ、前記発光手段の発光を禁止している場合には、前記照明手段を点灯させる照明制御手段として機能させることを特徴とする。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
また、請求項９記載の発明に係る撮影制御方法にあっては、所定の連写サイクルで撮影を実行する撮影手段と、電荷を蓄積する蓄積手段を有し、この蓄積手段に蓄積された電荷を用いて発光する発光手段と、発光素子からなる照明手段とを備える撮影装置の撮影制御方法であって、前記連写サイクルに同期して、前記発光手段を発光させる発光制御ステップと、前記蓄積手段の蓄積電圧が所定の閾値以上であるか否かを判断する判断ステップと、この判断ステップでの判断結果に応じて、前記発光制御ステップによる前記発光手段の発光を許容又は禁止する発光制限ステップと、この発光制限ステップで前記発光手段の発光が許容された場合には、前記照明手段を消灯させ、前記発光手段の発光が禁止された場合には、前記照明手段を点灯させる照明制御ステップとを含むことを特徴とする。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】